(57)【要約】      （修正有）【課題】速く、正確な症例報告書を得ることができるとともに、薬に合った治験データ入力画面をプログラムの知識がないものであっても、変更することができる治験データ管理方法および治験データ管理システムを実現する。【解決手段】製薬会社、病院それぞれの情報報処理装置１１，１２，１３が、治験データ管理センタ１４とネットワークで接続され、病院の医師は、ネットワークに接続された治験データ管理センタ１４の作成した画面に治験データを入力し、製薬会社は、治験データ管理センタ１４の作成した画面により治験データを見て、これに対するコメントをすることができ、医師は、このコメントを見て、必要があれば、治験データを修正し、修正理由を回答し、製薬会社は、病院から返送された治験データを固定し、治験に関するデータを出力する。【選択図】図１
2007299150.tif 000002
【特許請求の範囲】
【請求項１】
製薬会社、病院、治験データ管理センタにおける情報処理装置がネットワークにより接続されており、アクセスする者により治験データの入出力、および治験データの表示にかかる権限が異なるようにするとともに、電子データのチェックおよび／または修正と、入力画面の作成が可能な治験データ管理方法において、
前記治験データ管理センタの作成した入力画面に基づいて、前記病院から治験データを入力し、
前記治験データ管理センタで前記治験データを受信し、前記治験データ管理センタの作成した入力画面に出力された治験データのチェックを行なった後、前記病院が前記治験データに基づく症例報告書を出力し、
前記製薬会社が前記症例報告書を受信し、前記治験データ管理センタの作成した入力画面に出力された前記症例報告書の治験データをチェックし、
前記製薬会社が前記治験データに関して、前記病院に対する問い合わせを行い、
前記病院が前記製薬会社の問い合わせに対して、治験データの修正、または回答を行ない、
前記製薬会社が前記病院の入力した治験データを固定し、治験に関するデータを出力することを特徴とする治験データ管理方法。
【請求項２】
製薬会社、病院、治験データ管理センタ、臨床検査センタにおける情報処理装置がネットワークにより接続されており、アクセスする者により治験データおよび検査結果の入出力、および治験データおよび検査結果の表示にかかる権限が異なるようにするとともに、電子データのチェックおよび／または修正と、入力画面の作成が可能な治験データ管理方法において、
前記治験データ管理センタの作成した入力画面に基づいて、前記病院から治験データおよび臨床検査センタの検査結果を入力、あるいは、前記臨床検査センタからの検査データの自動取り込み、
前記治験データ管理センタで前記治験データおよび検査結果を受信し、前記治験データ管理センタの作成した入力画面に出力された治験データおよび検査結果のチェックを行なった後、前記病院が前記治験データおよび検査結果に基づく症例報告書を出力し、
前記製薬会社が前記症例報告書を受信し、前記治験データ管理センタの作成した入力画面に出力された前記症例報告書の治験データおよび検査結果をチェックし、
前記製薬会社が前記治験データおよび検査結果に関して、前記病院に対する問い合わせを行い、
前記病院が前記製薬会社の問い合わせに対して、治験データおよび検査結果の修正、または回答を行ない、
前記製薬会社が前記病院の入力した治験データおよび検査結果を固定し、治験および検査に関するデータを出力することを特徴とする治験データ管理方法。
【請求項３】
前記治験データ管理センタの作成する入力画面は、入力すべきフィールドに項目コードを設定することのみで作成されることを特徴とする請求項１または請求項２に記載された治験データ管理方法。
【請求項４】
薬に基づくロジカルチェック画面は、予め考えられるロジカルチェックに関するパターンが記憶されており、前記パターンの少なくとも一つを選択することにより自動的に作成されることを特徴とする請求項１から請求項３のいずれか１項に記載された治験データ管理方法。
【請求項５】
前記治験データおよび検査結果にアクセスできる者は、医師、治験コーディネータ（看護士、薬剤師、臨床検査技士）、モニター、データマネージメント（人）、代行データ入力者、システム管理者等のいずれかからなり、入力または修正できるデータ、見える画面、見える項目がそれぞれ異なっていることを特徴とする請求項１から請求項４のいずれか１項に記載された治験データ管理方法。
【請求項６】
前記医師、治験コーディネータ（看護士、薬剤師、臨床検査技士）、モニター、データマネージメント（人）、代行データ入力者、システム管理者等は、異なるグループＩＤと、それぞれの異なる権限を実行するための権限ＩＤを持っていることを特徴とする請求項１から請求項５のいずれか１項に記載された治験データ管理方法。
【請求項７】
製薬会社、病院、治験データ管理センタにおける情報処理装置がネットワークにより接続されており、アクセスする者により治験データの入出力、および治験データの表示にかかる権限が異なるようにするとともに、電子データのチェックおよび／または修正と、入力画面の作成が可能な治験データ管理システムにおいて、
製薬会社、病院、治験データ管理センタで働く者が前記治験データ管理システムにアクセスするためのグループＩＤおよび権限ＩＤを判断する権限判断手段と、
前記病院から前記治験データを入力するために前記治験データ管理センタによって作成された入力画面に治験データを入力するデータ入力手段と、
前記権限判断手段で許可された者により、前記入力画面から入力されたデータの入力、データのチェック、データの修正を行なうことができるデータチェックおよび修正手段と、
から少なくとも構成されていることを特徴とする治験データ管理システム。
【請求項８】
製薬会社、病院、治験データ管理センタ、臨床検査センタにおける情報処理装置がネットワークにより接続されており、アクセスする者により治験データと検査結果の入出力、および表示にかかる権限が異なるようにするとともに、電子データのチェックおよび／または修正と、入力画面の作成が可能な治験データ管理システムにおいて、
製薬会社、病院、治験データ管理センタ、臨床検査センタで働く者が前記治験データ管理システムにアクセスするためのグループＩＤおよび権限ＩＤを判断する権限判断手段と、
前記病院から前記治験データおよび臨床検査センタの検査結果を入力するために前記治験データ管理センタによって作成された入力画面に治験データおよび検査結果を入力するデータ入力手段と、
前記権限判断手段で許可された者により、前記入力画面から入力されたデータの入力、データのチェック、データの修正を行なうことができるデータチェックおよび修正手段と、
から少なくとも構成されていることを特徴とする治験データ管理システム。
【請求項９】
前記製薬会社から前記病院に対する問い合わせ、および前記病院のデータ修正と製薬会社へ回答するお問い合わせ手段を備えていることを特徴とする請求項７または請求項８に記載された治験データ管理システム。
【請求項１０】
被験者の適格性をチェックする症例登録手段を備えていることを特徴とする請求項７から請求項９のいずれか１項に記載された治験データ管理システム。
【請求項１１】
前記治験データを帳票として表示および出力することができる帳票出力手段を備えていることを特徴とする請求項７から請求項１０のいずれか１項に記載された治験データ管理システム。
【請求項１２】
情報処理装置としての機能を備えたフレームワークと、
治験データを管理するためのコア機能と、
少なくとも被験者登録および検査項目を変更できるカスタマイズ機能と、
から構成されていることを特徴とする請求項７から請求項１１のいずれか１項に記載された治験データ管理システム。
【請求項１３】
被験者名、検査項目、検査結果の組み合わせによってデータが記憶されることを特徴とする請求項７から請求項１２のいずれか１項に記載された治験データ管理システム。
【請求項１４】
進捗管理機能を備えていることを特徴とする請求項７から請求項１３のいずれか１項に記載された治験データ管理システム。
【請求項１５】
安全性管理機能を備えていることを特徴とする請求項７から請求項１４のいずれか１項に記載された治験データ管理システム。
【請求項１６】
前記治験データ管理センタの作成する入力画面は、入力データをデータべースに保存または前記データべースに保存されたデータを取り出し、画面に表示させる機能を有する入力項目記憶手段から、入力画面作成手段によって、前記項目コードを設定するのみで作成されることを特徴とする請求項７から請求項１５のいずれか１項に記載された治験データ管理システム。
【請求項１７】
ロジカルチェック機能を備えていることを特徴とする請求項７から請求項１６のいずれか１項に記載された治験データ管理システム。
【請求項１８】
薬に基づくロジカルチェック画面は、プログラムパターン記憶手段に予め記憶されているプログラムパターン名をロジカルチェック作成手段により、選択設定することで自動的に作成されることを特徴とする請求項７から請求項１７のいずれか１項に記載された治験データ管理システム。
【発明の詳細な説明】
【技術分野】
【０００１】
本発明は、治験実施に当たり、人手および時間をできるだけ少なくし、速く、正確な症例報告書を作成することができる治験データ管理方法および治験データ管理システムに関するものである。本発明は、治験データ管理システムに使用する治験データ入力画面をプログラムの知識がない者であっても、容易、迅速、かつ、効率的に作成することができる治験データ管理方法および治験データ管理システムに関するものである。
【背景技術】
【０００２】
図２１は従来例における製薬会社の治験依頼から病院における血液の採取、臨床検査センタの検査、検査結果の受領の概略を示すブロック構成図である。図２１において、治験データ管理システムは、病院９１と、製薬会社９２と、臨床検査センタ９３と、症例登録センタ９４とから少なくとも構成されている。製薬会社９２は、複数の病院９１１、９１２、９１３に薬に対する治験を依頼する。各病院９１は、複数の被験者９２１、９２２に投薬を行ない、また、血液を採集する。病院９１で採集された血液は、被験者の採血日や時間に応じて、臨床検査センタ９３に輸送される。
【０００３】
一方、製薬会社９２は、治験開始前までに、薬を各病院９１１、９１２、９１３に持ち込む。前記症例登録センタ９４は、各病院９１１、９１２、９１３から症例登録票を受け取り、適格性判断を行なう。場合により、薬剤番号を発行し、症例登録の判定結果を病院へ返す。その後、適格性を有する被験者に対して治験が実施される。各病院９１は、被験者の性別、年齢、肥満度、閉経者、糖量等の治験を開始し、その中で、たとえば、血液を採集し、臨床検査センタ９３に輸送する。前記臨床検査センタ９３は、前記血液を検査した後、検査データを紙データとして病院９１に送る。前記病院９１において、検査結果の紙データは、医師により、症例報告書に転記される。他の治験にかかわるデータは、カルテから医師により転記され、症例報告書が完成する。完成した報告書は、製薬会社に渡り、ロジカルチェックが実施される。
【０００４】
特開２００５−１７３７２３に記載されている治験データ作成装置は、投薬の開始日からの経過日数に対応する時情報を電子カルテシステムに送信し、前記電子カルテシステムの持つデータべースに被験者ごとの観測済データが項目に分けて時情報に対応させて記憶されている。
【特許文献１】特開２００５−１７３７２３号公報
【発明の開示】
【発明が解決しようとする課題】
【０００５】
我が国の治験システムは、薬の安全性に重点がおかれており、図２１に示すような紙データを基本にした製薬会社、病院、臨床検査センタの間でデータのやりとりを行っていた。前記３者における複雑なデータのやりとりは、治験に対する症例報告書の完成までに時間がかかり過ぎ、緊急を要する患者に対する投与が遅れることがあった。また、前記症例報告書は、製薬会社が作製する薬に対する臨床検査項目等がそれぞれ異なるため、新しい薬を開発する度に、当該薬に合ったものが作成されている。
【０００６】
前記臨床検査項目等からなる症例報告書は、プログラム言語を使用して、病院の医師等により入力枠のみに入力することで、簡単に作成される。前記症例報告書は、前記入力枠内に検査結果を入力するだけで簡単である。しかし、前記症例報告書は、プログラマーがプログラム言語を使用して作成されるため、作成に多大の時間と経費がかかっていた。また、前記症例報告書の作成は、医師、治験コーディネータ（看護士、薬剤師、臨床検査技士）、モニター、データマネージメント（人）、代行データ入力者、システム管理者等のそれぞれの立場と専門性の異なる者が、所定の時期に、たずさわるようになっているため、完全な電子データ化が困難であった。
【０００７】
前記従来例による治験データの一つである臨床検査は、被験者の採血日、時間等がバラバラであり、電子データで病院に直ちに送り返した所で、メリットが少ない。したがって、時間的にバラバラに検査された治験データは、バッジ式に紙に印刷されて、病院に送られるのが普通であった。また、症例報告書は、複数の臨床検査センタからバラバラに送られて来る治験データを纏めて書面が作成され、医師の印鑑を押すことにより作成されている。そのため、治験データは、電子データでやり取りを行なっても意味がなかった。
【０００８】
さらに、症例報告書は、正確性を要求するために、医師、治験コーディネータ（看護士、薬剤師、臨床検査技士）、モニター、データマネージメント（人）、代行データ入力者、システム管理者等の職業の者がおり、治験データを紙にして、これらの者のチェックを容易、かつ、正確になるようにしていた。すなわち、従来の症例報告書は、治験データが紙に印刷されていることを条件にした、人手によるチェック（印鑑）が不可欠な制度になっていた。
【０００９】
以上のような課題を解決するために、本発明は、病院と製薬会社との間に、第３の機関である治験データ管理センタを介在させ、また、病院、製薬会社、治験データ管理センタのコンピュータシステムとネットワークを介することにより、治験データを電子データでやり取りした後、正確で、かつ、迅速に症例報告書を作成することができる治験データ管理方法および治験データ管理システムを提供することを目的とする。本発明は、病院と製薬会社との間に、治験データ管理センタを介在させることにより、治験データ管理センタのコンピュータにより、ロジカルチェック、お問い合わせ、安全性判断、進捗性等の機能を自動的に行なうことができる治験データ管理方法および治験データ管理システムを提供することを目的とする。
【００１０】
本発明は、治験データ管理センタの作成した画面を介して、病院、製薬会社、その他関係者がそれぞれの権限に応じたデータを見たり、データを入力したり、あるいはデータを修正することができる治験データ管理方法および治験データ管理システムを提供することを目的とする。
【００１１】
本発明は、治験データ管理システムに使用する治験データ入力画面およびロジカルチェック画面をプログラムの知識がない者であっても、容易、迅速、かつ、効率的に作成することができる治験データ管理方法および治験データ管理システムを提供することを目的とする。
【課題を解決するための手段】
【００１２】
（第１発明）
第１発明の治験データ管理方法は、製薬会社、病院、治験データ管理センタにおける情報処理装置がネットワークにより接続されており、アクセスする者により治験データの入出力、および治験データの表示にかかる権限が異なるようにするとともに、電子データのチェックおよび／または修正と、入力画面の作成が可能であり、前記治験データ管理センタの作成した入力画面に基づいて、前記病院から治験データを入力し、前記治験データ管理センタで前記治験データを受信し、前記治験データ管理センタの作成した入力画面に出力された治験データのチェックを行なった後、前記病院が前記治験データに基づく症例報告書を出力し、前記製薬会社が前記症例報告書を受信し、前記治験データ管理センタの作成した入力画面に出力された前記症例報告書の治験データをチェックし、前記製薬会社が前記治験データに関して、前記病院に対する問い合わせを行い、前記病院が前記製薬会社の問い合わせに対して、治験データの修正、または回答を行ない、前記製薬会社が前記病院の入力した治験データを固定し、治験に関するデータを出力することを特徴とする。
（第２発明）
第２発明の治験データ管理方法は、製薬会社、病院、治験データ管理センタ、臨床検査センタにおける情報処理装置がネットワークにより接続されており、アクセスする者により治験データおよび検査結果の入出力、および治験データおよび検査結果の表示にかかる権限が異なるようにするとともに、電子データのチェックおよび／または修正と、入力画面の作成が可能であり、前記治験データ管理センタの作成した入力画面に基づいて、前記病院から治験データおよび臨床検査センタの検査結果を入力、あるいは、前記臨床検査センタからの検査データの自動取り込み、前記治験データ管理センタで前記治験データおよび検査結果を受信し、前記治験データ管理センタの作成した入力画面に出力された治験データおよび検査結果のチェックを行なった後、前記病院が前記治験データおよび検査結果に基づく症例報告書を出力し、前記製薬会社が前記症例報告書を受信し、前記治験データ管理センタの作成した入力画面に出力された前記症例報告書の治験データおよび検査結果をチェックし、前記製薬会社が前記治験データおよび検査結果に関して、前記病院に対する問い合わせを行い、前記病院が前記製薬会社の問い合わせに対して、治験データおよび検査結果の修正、または回答を行ない、前記製薬会社が前記病院の入力した治験データおよび検査結果を固定し、治験および検査に関するデータを出力することを特徴とする。
（第３発明）
第３発明の治験データ管理方法において、第１発明または第２発明の治験データ管理センタの作成する入力画面は、入力すべきフィールドに項目コードを設定することのみで作成されることを特徴とする。
（第４発明）
第４発明の治験データ管理方法において、第１発明から第３発明における薬に基づくロジカルチェック画面は、予め考えられるロジカルチェックに関するパターンが記憶されており、前記パターンの少なくとも一つを選択することにより自動的に作成されることを特徴とする。
（第５発明）
第５発明の治験データ管理方法は、第１発明から第４発明における治験データおよび検査結果にアクセスできる者が医師、治験コーディネータ（看護士、薬剤師、臨床検査技士）、モニター、データマネージメント（人）、代行データ入力者、システム管理者等のいずれかからなり、入力または修正できるデータ、見える画面、見える項目がそれぞれ異なっていることを特徴とする。
（第６発明）
第６発明の治験データ管理方法は、第１発明から第５発明における医師、治験コーディネータ（看護士、薬剤師、臨床検査技士）、モニター、データマネージメント（人）、代行データ入力者、システム管理者等が異なるグループＩＤと、それぞれの異なる権限を実行するための権限ＩＤを持っていることを特徴とする。
（第７発明）
第７発明の治験データ管理システムは、製薬会社、病院、治験データ管理センタにおける情報処理装置がネットワークにより接続されており、アクセスする者により治験データの入出力、および治験データの表示にかかる権限が異なるようにするとともに、電子データのチェックおよび／または修正が可能であり、前記治験データ管理システムにアクセスするためのグループＩＤおよび権限ＩＤを備えている権限判断手段と、前記病院から前記治験データを入力するために前記治験データ管理センタによって作成された入力画面に治験データを入力するデータ入力手段と、前記権限判断手段で許可された者により、前記入力画面から入力されたデータの入力、データのチェック、データの修正を行なうことができるデータチェックおよび修正手段とから少なくとも構成されていることを特徴とする。（第８発明）
第８発明の治験データ管理システムは、製薬会社、病院、治験データ管理センタ、臨床検査センタにおける情報処理装置がネットワークにより接続されており、アクセスする者により治験データと検査結果の入出力、および表示にかかる権限が異なるようにするとともに、電子データのチェックおよび／または修正が可能であり、治験データ管理システムにアクセスするためのグループＩＤおよび権限ＩＤを備えている権限判断手段と、前記病院から前記治験データおよび臨床検査センタの検査結果を入力するために前記治験データ管理センタによって作成された入力画面に治験データおよび検査結果を入力するデータ入力手段と、前記権限判断手段で許可された者により、前記入力画面から入力されたデータの入力、データのチェック、データの修正を行なうことができるデータチェックおよび修正手段とから少なくとも構成されていることを特徴とする。
（第９発明）
第９発明の治験データ管理システムは、第７発明または第８発明において、製薬会社から前記病院に対する問い合わせ、および前記病院のデータ修正と製薬会社へ回答するお問い合わせ手段を備えていることを特徴とする。
（第１０発明）
第１０発明の治験データ管理システムは、第７発明から第９発明において、被験者の適格性をチェックする症例登録手段を備えていることを特徴とする。
（第１１発明）
第１１発明の治験データ管理システムは、第７発明から第１０発明において、治験データを帳票として表示および出力することができる帳票出力手段を備えていることを特徴とする。
（第１２発明）
第１２発明の治験データ管理システムは、第７発明から第１１発明において、情報処理装置としての機能を備えたフレームワークと、治験データを管理するためのコア機能と、少なくとも被験者登録および検査項目を変更できるカスタマイズ機能とから構成されていることを特徴とする。
（第１３発明）
第１３発明の治験データ管理システムは、第７発明から第１２発明において、被験者名、検査項目、検査結果の組み合わせによってデータが記憶されることを特徴とする。
（第１４発明）
第１４発明の治験データ管理システムは、第７発明から第１３発明において、進捗管理機能を備えていることを特徴とする。
（第１５発明）
第１５発明の治験データ管理システムは、第７発明から第１４発明において、安全性管理機能を備えていることを特徴とする。
（第１６発明）
第１６発明の治験データ管理システムにおいて、第７発明から第１５発明における治験データ管理センタの作成する入力画面は、入力データをデータべースに保存または前記データべースに保存されたデータを取り出し、画面に表示させる機能を有する入力項目記憶手段から、入力画面作成手段によって、前記項目コードを設定するのみで作成されることを特徴とする。
（第１７発明）
第１７発明の治験データ管理システムは、第７発明から第１６発明において、ロジカルチェック機能を備えていることを特徴とする。
（第１８発明）
第１８発明の治験データ管理システムにおいて、第７発明から第１７発明における薬に基づくロジカルチェック画面は、プログラムパターン記憶手段に予め記憶されているプログラムパターン名をロジカルチェック画面作成手段により、選択設定することで自動的に作成されることを特徴とする。
【発明の効果】
【００１３】
本発明によれば、病院と製薬会社との間に、治験データ管理センタというコンピュータシステムを介在させることにより、治験データを電子データでやり取りすることにより、無駄が無く、正確、かつ、迅速に症例報告書を作成することができる。
【００１４】
本発明によれば、病院と製薬会社との間に、治験データ管理センタを介在させ、治験データ管理センタのコンピュータにより、ロジカルチェック、お問い合わせの処理を自動的に行なうことができる。
【００１５】
本発明によれば、治験データ管理センタの作成した画面を介して、病院、製薬会社、その他関係者がそれぞれの権限に応じたデータを見たり、入力したり、データを修正することができるため、電子データのみにより処理を行い、最終的に正確な紙による症例報告書を作成することができる。
【００１６】
本発明によれば、プログラムに関する知識がないものであっても、予め記憶されているプログラムパターンの中から該当するパターンを選択することで、容易、かつ迅速にロジカルチェック画面を作成できる。また、入力画面も検査項目コードを設定することのみで、容易に、かつ、迅速に作成することができる。
【発明を実施するための最良の形態】
【００１７】
（第１発明）
第１発明の治験データ管理方法は、製薬会社、病院、治験データ管理センタとの間で情報処理装置がネットワークにより接続されている。前記情報処理装置は、製薬会社、病院、によりアクセス権を有する者、およびそのアクセス内容がそれぞれ異なっている。たとえば、アクセスする者は、治験データの入力および修正が可能な者（医師、治験コーディネータ）、治験データの表示が可能な者（医師、治験コーディネータ、製薬会社）、治験データのチェック（修正ではない）が可能な者（製薬会社等）、治験以外の事項のチェック（システム管理者等）をする者等がいる。
【００１８】
たとえば、病院の医師は、前記ネットワークに接続された情報処理装置における治験データ管理センタによって作成された画面に治験データを入力する。製薬会社は、治験データ管理センタの作成した画面により治験データを見て、前記治験データに対するコメント（問い合わせ）をすることができる。医師は、前記コメントを見て、必要があれば、治験データを修正するとともに、修正した理由を回答する。前記製薬会社は、前記病院の入力した治験データを固定し、治験に関するデータを出力する。
【００１９】
従来の治験データは、紙に書かれた書類を医師のみにより修正が可能であるため、紙に印刷されたものを病院、製薬会社の間で往復を繰り返すだけでなく、これらの仕事を手助けするモニター、データマネージメント、治験コーディネータ、その他の人手が多く必要であった。
【００２０】
本発明は、治験データ管理センタを設けた点、および治験データ管理センタの作成した画面を病院、製薬会社により、それぞれの資格のある者が見られるようにした点、治験データのチェックを人手または情報処理装置によって行なっても、医師あるいは治験コーディネータのみにより治験データを修正できる点、治験データのチェック結果の疑問を問い合わせという形にした点、で中間の人手、時間、紙等を節約することができた。
（第２発明）
第２発明の治験データ管理方法は、第１発明における製薬会社、病院、治験データ管理センタの他に、臨床検査センタが情報処理装置を介してネットワークにより接続されている点で異なっている。前記臨床検査センタは、たとえば、血液、便、尿、痰、その他の検体を臨床検査するセンタである。
（第３発明）
第３発明の治験データ管理方法は、治験データ管理センタで作成された入力画面を製薬会社、病院、治験データ管理センタ、臨床検査センタでそれぞれ使用できるようになっている。前記治験データ管理センタで作成する入力画面は、入力すべきフィールドに項目コード（ＩＤ）を設定することのみで作成される。この仕組みは、「しおり」のプロパティーに格納されている。前記入力画面は、特別のプログラムに関する知識がない者であっても、予めプログラマーの作成したパターンの中から呼び出すだけで作成される。
（第４発明）
第４発明の治験データ管理方法は、薬に基づくロジカルチェック画面の作成方法である。薬に基づくロジカルチェック画面は、薬によりそれぞれ異なる。前記ロジカルチェック画面は、予め考えられるロジカルチェックに関するパターンがプログラマーによって作成された後、記憶されており、前記パターンの中から少なくとも一つを選択することにより自動的に作成される。前記ロジカルチェック画面は、薬の種類が多くあっても、ロジカルチェックのパターンを予測することができるため、これらのパターンを選択することで、プログラムの知識がないものであっても作成できる。
（第５発明）
第５発明の治験データ管理方法は、治験データ管理センタの作成した画面を介して治験データおよび臨床検査センタで検査された検査結果にアクセスできる者が制限される。前記治験データ管理センタの作成した画面にアクセスできる者は、たとえば、医師、治験コーディネータ（看護士、薬剤師、臨床検査技士）、モニター、データマネージメント（人）、代行データ入力者、システム管理者等のいずれかからなる。前記「等」の意味は、前記医師、治験コーディネータ（看護士、薬剤師、臨床検査技士）、モニター、データマネージメント（人）、代行データ入力者、システム管理者と実質的に同じ仕事を行なっているが、呼び名が異なる者を含ませるためである。そして、前記の者は、職務により、入力または修正できるデータ、見える画面、見える項目がそれぞれ異なるようになっている。たとえば、治験データは、医師のみ入力および修正ができ、あるいは治験コーディネータによる一部の入力および修正が可能であり、製薬会社の者によって見れるが、医師に対して問い合わせができるだけである。
（第６発明）
第６発明の治験データ管理方法は、医師、治験コーディネータ（看護士、薬剤師、臨床検査技士）、モニター、データマネージメント（人）、代行データ入力者、システム管理者等が、異なるグループＩＤと、それぞれの異なる権限を実行するための権限ＩＤを持っている。前記グループＩＤと権限ＩＤは、一つのＩＤであってもよいが、前記ＩＤによって、アクセスの内容がそれぞれ異なっているため、製薬会社やその他の者が治験データを修正するようなことができないようになっている。
（第７発明）
第７発明の治験データ管理システムは、製薬会社、病院、治験データ管理センタがネットワークを介して共通に使用できる情報処理装置が接続されている。前記病院は、前記治験データ管理センタの作成した画面を介して、治験データの入力、および治験データの表示、治験データのチェックまたは修正ができる。前記治験データ管理センタの作成した画面は、アクセスする者により治験データの入出力、および治験データの表示にかかる権限が異なるようになっている。
【００２１】
権限判断手段は、前記治験データ管理システムの画面にアクセスするためのグループＩＤおよび権限ＩＤを備えており、それぞれのＩＤに決められた仕事ができる。データ入力手段は、前記病院から前記治験データを入力するために前記治験データ管理センタによって作成された入力画面に治験データを入力する。データチェックおよび修正手段は、前記権限判断手段で許可された者、たとえば、医師等により、前記入力画面から入力されたデータの入力、データのチェック、データの修正を行なうことができる。
（第８発明）
第８発明の治験データ管理システムは、第７発明における製薬会社、病院、治験データ管理センタの他に、臨床検査センタが情報処理装置を介してネットワークにより接続されている点で異なっている。前記臨床検査センタは、たとえば、血液、便、尿、その他の検体を臨床検査するセンタである。
（第９発明）
第９発明の治験データ管理システムは、治験データの入力および修正が医師あるいは治験コーディネータのみによって可能であるが、治験の依頼先である製薬会社による治験データに対する疑問等を医師に問い合わせることができるとともに、前記問い合わせに対する医師の回答およびそれに基づくデータ修正ができるようなシステムとなっている。
（第１０発明）
第１０発明の治験データ管理システムは、入力された治験データの整合性をチェックできる症例登録手段を備えている。すなわち、第１０発明の治験データ管理システムは、治験が必要とする被験者の性別、年齢、病歴、その他入力された治験データがデータの型として正しいデータが入力されているか否かをチェックすることができる。
（第１１発明）
第１１発明の治験データ管理システムは、治験データの入力、修正、チェックを治験データ管理センタの作成した画面上で行なえるが、症例報告書を始め、データ変更履歴、進捗確認、お問い合わせ事項等種々の帳票を紙として出力することができる。
（第１２発明）
第１２発明の治験データ管理システムは、情報処理装置としての機能を備えたフレームワークと、治験データを管理するためのコア機能と、少なくとも被験者登録および検査項目を変更できるカスタマイズ機能とから少なくとも構成されている。前記コア機能は、通常の情報処理装置が備えている機能を利用し、カスタマイズ機能は、プログラムを知らない者であっても簡単に変えることができるようになっている。
（第１３発明）
第１３発明の治験データ管理システムにおいて、データべースに記憶すべきものは、被験者名と、前記被験者の検査項目と、前記検査項目における検査結果との組み合わせだけであることに着目し、前記三つの項目を順次制限なく、追加できるように保存している。
（第１４発明）
第１４発明の治験データ管理システムは、治験の開始に当たり、被験者の来院スケジュールを考慮した予定スケジュール管理表を作成し、被験者の最新データが入力された時点で、進捗状態が表示されることにより進捗管理ができる。
（第１５発明）
第１５発明の治験データ管理システムは、病院から有害事象、重篤情報等が直ちに入力され、前記病院から製薬会社への報告が行なわれ、安全性管理機能が働くことにより、被験者の安全を期すことができる。
（第１６発明）
第１６発明において、治験データ管理センタの作成する入力画面は、入力データをデータべースに保存または前記データべースに保存されたデータを取り出し、画面に表示させる機能を有する入力項目記憶手段から、入力画面作成手段によって、入力すべきフィールドに項目コード（ＩＤ）を設定することのみで作成される。前記入力項目記憶手段には、入力画面作成手段の「しおり」のプロパティーに格納されている。前記入力画面は、特別のプログラムに関する知識がない者であっても、項目コード（ＩＤ）を設定するのみで作成される。
（第１７発明）
第１７発明の治験データ管理システムは、製薬会社によって、被験者の性別、生年月日、治験実施年月日等、治験項目による結果、明らかにロジカルでないデータについてチェックを行なうようになっている。前記チェックは、人手を介することなく、自動的に行うことができる。
（第１８発明）
第１８発明の治験データ管理システムにおいて、薬に基づくロジカルチェック画面は、ロジカルチェック画面作成手段により作成される。前記ロジカルチェック画面は、プログラムパターン記憶手段に予め記憶されているプログラム名を前記ロジカルチェック画面作成手段により選択設定することにより、自動的に作成される。前記ロジカルチェック画面は、特別に、プログラムに関する知識がない者であっても、容易、かつ迅速に作成することができる。
【実施例１】
【００２２】
図１は本発明の第１実施例で、治験を行うための一例を示す概略ブロック構成図である。図１において、本発明の治験データ管理システムは、治験を依頼する製薬会社の情報処理装置１１と、治験を行う病院（医師）の情報処理装置１２との間に治験データ管理センタ１４の情報処理装置を介在させることにより、紙にデータを記入する手間、紙の移動時間、治験データのチェック、各データの修正等を短時間で行うことができ、かつ、正確迅速に、症例報告書を作成し、治験データを収集することができる。前記治験データ管理システムは、通常、製薬会社、複数の病院、複数の臨床検査センタとインターネットを介してそれぞれの情報処理装置が接続されている。
【００２３】
製薬会社は、複数の病院に対して新薬の治験を依頼する。前記それぞれの病院は、必要に応じて、血液、便、尿、痰等の検体を臨床検査センタに送り、前記臨床検査センタの検査結果、その他治験データと合わせて前記製薬会社に症例報告書を作成した後に送る。また、前記病院は、症例登録センタの判定結果を基にして、前記症例報告書を作成するために被験者に対して治験を行う。
【００２４】
治験データ管理センタ１４は、製薬会社、複数の病院、複数の臨床検査センタにおける情報処理装置（１１、１２、１３）にそれぞれインターネットを介して接続されており、互いにアクセスするための送受信手段１４１と、治験データ管理センタ１４の情報処理装置にアクセスできる者および内容が判る定義ファイルを備えた権限判断手段１４２と、治験データの入力を行う権限を有する者が治験データを入力するデータ入力手段１４３と、病院の情報処理装置１２と製薬会社の情報処理装置１１との間で治験データ等に関するお問い合せ、および前記お問い合せに対する回答ができる病院・製薬会社お問い合わせ手段１４４と、治験データを自動的にチェックするデータ入力チェック手段１４５と、治験において明らかなミス等、予めロジカル定義ファイルを備えたロジカルチェック手段１４６と、治験データまたは治験データ以外のデータを修正するデータ修正手段１４７と、被験者の適格性を判断するための症例登録ファイルを備えた症例登録手段１４８と、製薬会社に報告する紙からなる症例報告書を出力する症例報告書出力手段１４９と、治験データをチェックしている間に、特別な事象または重篤例を早く発見し、製薬会社にそのことを伝える安全性管理手段１５０と、被験者の都合により規定の日数が経過し、治験実施に支障が生じる前に進捗状況を警告する進捗管理手段１５１と、治験結果の中途経過および／または最終結果を予め決められたフォーマットの帳票として出力する帳票出力手段１５２と、治験データ管理センタ１４によって予め決められたフォーマットで病院の医師、治験コーディネータ（看護士、薬剤師、臨床検査技士）、モニター、データマネージメント（人）、代行データ入力者、システム管理者等の有する権限により、入力、出力、見たり、チェックを入れる、質問事項等を入力できる入力画面が表示されるとともに、前記入力画面等を記憶できる表示および記憶手段１５３と、前記治験データ管理システム全体を制御する制御手段１５４と、前記治験データ管理システムの中間および最終データを記憶するデータベース１５５と、病院、製薬会社、臨床検査センタ等の情報処理装置で表示できるとともに、予め決められ場所から入力、修正、チェック等ができる入力画面を作成できる入力画面作成手段１５６と、前記ロジカルチェック手段１４５において、ロジカルチェックを行うためのロジカルチェック画面作成手段１５７と、前記入力画面作成手段１５６およびロジカルチェック画面作成手段１５７における画面の基となる各パターンを予め記憶するプログラムパターン記憶手段１５８と、入力画面の入力、修正、チェック等が終了したデータをデータべース１５５に保存する保存手段１５９と、必要な入力項目が予め記憶されている入力項目記憶手段１６０とから構成されている。
【００２５】
さらに、治験データ管理センタ１４は、病院、製薬会社、臨床検査センタ等以外の第３者機関における情報処理手段であり、前記治験データ管理センタ、病院、製薬会社、臨床検査センタ等で見ることができる入力画面を作成する入力画面作成手段１５６と、前記入力画面を作成する機能を有する入力項目記憶手段１６０とを少なくとも備えている。前記治験データ管理センタの作成する入力画面は、入力データをデータべースに保存または前記データべースに保存されたデータを取り出し、画面に表示させる機能を有する入力項目記憶手段から、入力画面作成手段によって、前記項目コードを設定するのみで作成される。
【００２６】
ロジカルチェック画面は、ロジカルチェック画面作成手段１５７により、多くの薬に対する考えられるロジカルチェックパターンがプログラムによって作成されているプログラムパターン記憶手段１５８から選択することで自動的に作成することができる。前記プログラムパターンは、プログラムパターン記憶手段１５８から選択するだけであるため、プログラムの知識のない者であっても、容易、かつ迅速に作成することができる。
【００２７】
図２（イ）は本発明の治験データ管理システムにおける権限判断手段の一例を説明するためのブロック構成図で、（ロ）は製薬会社の電子データを保存するためのブロック構成図である。図２（イ）において、送受信手段２１１は、アクセスされたデータが受信される。グループ判断手段２１２は、受信したデータのＩＤにより、治験データ管理システムと契約を交わしているグループの者であるか否かをグループ登録定義記憶手段２１３により調べる。グループ登録定義記憶手段２１３は、予め契約された病院、製薬会社、医師、治験コーディネータ（看護士、薬剤師、臨床検査技士）、モニター、データマネージメント（人）、代行データ入力者、システム管理者等およびそれぞれのＩＤが記憶されている。グループ・権限許可手段２１５は、前記ＩＤを見て、権限定義記憶手段２１４に記憶されている定義ファイルを調べ、前記グループに許可されている権限のみにアクセスできるようにする。
【００２８】
前記権限は、医師の場合、全ての治験データを入力および／または修正等をすることができ、製薬会社の場合、問い合わせができても、入力および修正等をすることができない。また、前記治験コーディネータは、全ての治験データを見ることができ、かつ、医師の判断が必要でない検査項目は入力できても、医師の判断が必要な検査項目は入力できない。治験データの入力チェックが許可された医師または治験コーディネータは、表示および記憶手段２１７に表示された治験データを見て、データ入力チェック手段２１６により、治験データをチェックして、必要に応じて、修正を行う。前記修正等が行われた治験データは、送受信手段２１１により、治験データ管理センタ１４に送られた後、表示および記憶手段２１９に一先ず記憶される。
【００２９】
図２（ロ）において、製薬会社からの電子データは、送受信手段２１１を介して表示および記憶手段２１７に記憶される。前記表示および記憶手段２１７に一時的に記憶された製薬会社の電子データは、製薬会社の電子データであることがアドレス定義手段２１８によって定義付けられるとともに、保存手段２１９によって前記表示および記憶手段２１７に保存される。
【００３０】
図３は本発明の治験データ管理システムにおける権限判断手段の一例を説明するためのフローチャートである。図３において、病院の医師は、ネットワークに接続された情報処理装置から治験データ管理センタの情報処理装置にアクセスする（ステップ３１１）。前記医師は、ＩＤを入力する（ステップ３１２）。前記治験データ管理システムの情報処理装置は、前記ＩＤがグループ・権限定義ファイルを基にして、治験データにアクセスできる医師であるか否かを調べる（ステップ３１３）。
【００３１】
前記治験データ管理システムの情報処理装置は、前記グループ・権限定義ファイルにより、治験データにアクセスできる医師であると判断した場合、医師が入力および／または修正が可能な医師用治験データ入力画面を病院の情報処理装置に表示させる（ステップ３１４）。前記医師は、治験データを前記画面の所定箇所に入力する（ステップ３１５）。
【００３２】
前記ステップ３１３により、前記治験データ管理システムの情報処理装置は、前記ＩＤがグループ・権限定義ファイルを基にして、治験データにアクセスできる医師ではないと判断した場合、医師以外の関係者である、たとえば、治験コーディネータであるか否かを調べる（ステップ３１６）。前記治験データ管理システムの情報処理装置は、医師以外の関係者であると判断した場合、当該関係者に合ったデータ入力画面を表示する（ステップ３１７）
前記関係者は、前記データ入力画面を見て、当該画面から、たとえば、書式事項を入力する（ステップ３１８）。医師の治験データおよびその他の書式事項等が入力され、治験データファイルは作成される（ステップ３１９）。医師の入力した治験データファイルは、治験データ管理センタに送信され（ステップ３２０）、データベースに保存される（ステップ３２１）。前記ステップ３１６において、権限判断手段１４２（図１参照）は、アクセスした者が医師または関係者でないと判断した場合、治験データ入力画面を終了させる（ステップ３２２）。
【００３３】
図４は本発明の治験データ管理システムにおけるロジカルチェックの一例を説明するためのブロック構成図である。治験データファイルは、本発明の治験データ管理システムによってロジカルチェックができるようになっている。たとえば、図４において、薬の治験によって異なるロジカルチェック仕様書が複数記憶されているロジカルチェック仕様書記憶手段４１１と、ロジカルチェック画面作成手段４１２と、複数のロジカルチェック定義が記憶されているロジカルチェック定義記憶手段４１３と、前記ロジカルチェック仕様書記憶手段４１１に記憶されているロジカルチェック仕様書の内容を画面に表示させた状態で変更するロジカルチェック定義変更手段４１４と、薬により異なるロジカルチェックに変更するためのプログラムパターンが記憶されているプログラムパターン記憶手段４１５とから構成されている。
【００３４】
図５は本発明の治験データ管理システムにおけるロジカルチェックの一例を説明するためのフローチャートである。図５において、本発明の治験データ管理センタの情報処理装置は、治験データファイルを受信する（ステップ５１１）。前記治験データ管理センタの情報処理装置は、ロジカルチェック定義記憶手段４１３から所望のロジカルチェック定義ファイルを抽出する（ステップ５１２、５１３）。前記治験データ管理センタの情報処理装置は、治験データファイルの内容と、前記抽出されたロジカルチェック定義ファイルの内容とを比較する（ステップ５１４）。
【００３５】
前記治験データ管理センタの情報処理装置は、治験データファイルとロジカル定義ファイルとを比較して、一致するか否かを調べる（ステップ５１５）。前記治験データ管理センタの情報処理装置は、前記治験データファイルとロジカル定義ファイルの内容が一致していると判断した場合、治験データファイルをデータベースに記憶する（ステップ５１６）。前記治験データ管理センタの情報処理装置は、前記治験データファイルとロジカル定義ファイルの内容が一致していないと判断した場合、前記治験データファイルにエラーメッセージを表示する（ステップ５１７）。前記治験データファイルは、前記エラーメッセージ付き治験データファイルとなり（ステップ５１８）、データベースに記憶される。前記エラーメッセージ付き治験データファイルは、たとえば、医師により、後に訂正されることにより、治験データファイルとなる。
【００３６】
図６は本発明の病院と製薬会社とのお問い合わせ手段の一例を説明するためのフローチャートである。図６において、製薬会社の担当者は、治験データ管理センタの作成した画面にアクセスする（ステップ６１１）。治験データ管理システムは、アクセスした製薬会社の担当者が登録されている者であるか否かを調べる（ステップ６１２）。前記治験データ管理システムは、正規の担当者でないと判断した場合、治験データ管理センタの画面を終了する（ステップ６１３）。
【００３７】
前記治験データ管理システムは、アクセスした者が正規の担当者であると判断した場合、治験データ管理センタの作成した問い合わせ画面を表示する（ステップ６１４）。前記担当者は、目視項目追加画面およびロジカルチェックエラー表示を行なう（ステップ６１５、ステップ６１６）。前記担当者は、前記画面から病院に対する問い合わせ事項があるか否かを調べる（ステップ６１７）。前記担当者は、病院に対する問い合わせ事項がないと判断した場合、データファイルを病院に送信する（ステップ６１８）。
【００３８】
前記担当者は、病院に対する問い合わせ事項があると判断した場合、前記データファイルに問い合わせ事項を付けて病院の情報処理装置１２に送信する（ステップ６１９）。前記問い合わせ事項付データファイルは、病院の情報処理装置１２において受信される（ステップ６２０）。前記病院の情報処理装置１２は、前記問い合わせ事項付データファイルを担当の医師がアクセスしているか否かを調べる（ステップ６２１）。前記病院の情報処理装置１２は、前記問い合わせ事項付データファイルを正しい担当の医師がアクセスしていると判断した場合、前記問い合わせ事項付データファイルが治験データ管理センタ１４の作成した画面に表示される（ステップ６２２）。前記病院の情報処理装置１２は、前記問い合わせ事項付データファイルに正しい担当の医師がアクセスしていないと判断した場合、治験データ管理センタ１４の作成した画面を終了する（ステップ６２３）。
【００３９】
前記病院の情報処理装置１２は、前記問い合わせ事項付データファイルに正しい担当の医師がアクセスしていると判断した場合、治験データ管理センタ１４の作成した画面を見てデータの修正を行なう（ステップ６２４）。前記医師は、前記データファイルを見て、必要に応じて、修正を加えるとともに、製薬会社に回答を付けて製薬会社の情報処理装置１１に送信する（ステップ６２５）。製薬会社の情報処理装置１１は、前記医師の修正および回答を見て了承するか否かを判断する（ステップ６２６）。製薬会社は、医師の修正および回答を了承した場合、データに修正履歴を付けた状態で治験データ管理センタ１４におけるデータべース１５５に保存する（ステップ６２７）。
【実施例２】
【００４０】
図７は本発明の第２実施例で、臨床検査を含む治験を行うための一例を示す概略ブロック構成図である。図７において、治験データ管理システムは、治験データ管理センタ７１と、病院７２と、製薬会社７３と、症例登録センタ７４と、臨床検査センタ７５とからなっている。前記製薬会社７３は、治験開始前までに、薬を各病院７２１、７２２、７２３・・・に持ち込む。前記症例登録センタ７４は、各病院７２１、７２２、７２３・・・から症例登録票を受け取り、適格性判断を行なう。場合により、薬剤番号を発行し、症例登録の判定結果を病院へ返す。その後、適格性を有する被験者に対して治験が実施される。各病院７２は、被験者の性別、年齢、肥満度、閉経者、糖量等の治験を開始し、その中で、たとえば、検体を採集し、前記検体を臨床検査センタ７５に輸送する。前記臨床検査センタ７５は、前記検体を検査した後、検査データを電子データとして治験データ管理センタ７１に送る。
【００４１】
治験データ管理センタ７１は、各病院７２および各臨床検査センタ７５から送られて来た電子データを受信手段７１５によって受信する。前記受信手段７１５によって受信された電子データは、各病院７２および各臨床検査センタ７５によって記載方法が異なっている場合がある。たとえば、一つの事柄は、各病院７２および各臨床検査センタ７５により、英語、カタカナ、略号等異なる表記がされている。前記辞書記憶手段７１４は、前記異なる表記と標準表記との対応表が記憶されている。前記標準表記は、治験データ管理センタ７１が決めたものでも良い。前記データは、標準表記に基づいて、共通のチェックが行なわれ、その後、治験データ管理センタにおけるデータべースに保存される。前記病院７２は、そのデータを見ることがきる。
【００４２】
前記治験データ管理センタ７１は、ロジカルチェックその他のチェックを行なった後、前記検査データを病院７２に返送する。病院７２と製薬会社７３との問い合わせ等は、第１実施例と同じである。
【００４３】
図８（イ）は従来のデータ格納状態で、（ロ）は本発明のデータ格納状態の一例を説明するための図である。図８（イ）におけるデータの格納状態は、被験者を新しく追加することができても、新しい項目を増やすことができない。図８（ロ）におけるデータの格納状態は、氏名、検査項目、データの三項目について、図示のようにデータを記憶している。したがって、本発明のデータ格納状態は、検査項目が増加しても、何等支障なくデータを記憶することができる。本発明のデータ格納状態は、被験者ＩＤと、検査項目と、データの三種類しかないという点に着目したために、データの追加をいくらでもできる結果になった。
【００４４】
図９は本発明の実例で、製薬会社が作成した電子データからなる入力画面の基になる症例報告書を説明するための図である。図９に示す症例報告書は、製薬会社が、たとえば、ワード等による文章によって作成された電子データである。
【００４５】
図１０は本発明の実例で、入力画面作成手段で作成する入力画面を説明するための図である。図１０に示す入力画面は、図９に示す製薬会社で作成した電子データがＰＤＦ（Portable Document Format）に変換された状態で表示されている。前記ＰＤＦデータは、加工されて、「しおり」の中の一時保存、印刷、ロック、戻る等の機能が作成される。
【００４６】
図１１は本発明の実例で、入力画面作成手段で表示された画面の各項目に項目コードを設定する状態を説明するための図である。図１１において、入力欄（枠）は、当該プロパティが開らかれ、前記入力欄における項目コード（ＩＤ）が設定される。たとえば、前記項目コードは、図１１において、Ｐ００００１００１等と設定されている。
【００４７】
図１２（イ）および（ロ）は本発明の実例で、入力画面作成手段で表示された項目コードの設定する状態を説明するための図である。図１２（イ）において、入力欄（枠）は、当該プロパティが開かれ、前記入力欄における項目コード（ＩＤ）が設定される。たとえば、図１２（ロ）に示す例は、項目コードＰ００００１０１２が性別を表している。
【００４８】
図１３は本発明の実例で、表示および記憶手段に表示された「しおり」が作成された状態を説明するための図である。図１３において、たとえば、「しおり」の「一時保存」のプロパティは、アクションが開かれ、病院で入力したデータをデータべース１５５（図１参照）に一時保存されるように設定される。その他、「戻る」、「ロック」、「印刷」等も同様にして設定される。前記設定は、入力項目記憶手段で保存されている機能を嵌め込むことに該当する。
【００４９】
図１４は本発明の実例で、表示および記憶手段に表示された入力画面がデータべースに保存される例を説明するための図である。図１４において、たとえば、医師は、所定の項目にデータを入力した後、一時保存のボタンをクリックすることにより、前記入力画面がデータべース１５５に一時保存される。
【００５０】
図１５は本発明の実例で、入力画面作成手段で作成された画面を説明するための図である。図１６は本発明の実例で、ロジカルチェック種別に対するチェック内容を表にしたものである。図１７（イ）は本発明の実例で、性別および生年月日をチェックする例、（ロ）はロジカルチェックマスタ表を説明するためのものである。図１６において、性別のチェックは、チェック種別がＡ１で、対象項目に値が入力されていることを確認する。図１７（イ）において、性別のチェックは、項目コードがＰ００００１０１２であり、生年月日は、Ｐ００００１０１３〜Ｐ００００１０１６である。また、前記ロジカルチェックマスタ表は、性別のチェックがチェック種別Ａ１、対象項番号Ｐ００００１０１２、日付条件付き必須チェックは、図１６から図１７（ロ）に示されているように、チェック種別Ａ６、条件値がＰ００００１０１４、条件項目番号２がＰ００００１０１５、条件項目番号３がＰ００００１０１６となる。すなわち、生年月日は、年、月、日、のいずれかに日付が入力されていた場合、年、月に必ずチェックがあることが条件になっている。
【００５１】
図１８は本発明の実例で、ロジカルチェック設定ファイルを説明するための図である。図１９は本発明の実例で、ロジカルチェックを行った結果が表されている。たとえば、図１９において、修正が不要であることが判る。図２０は本発明の実例で、チェック種目のプログラムの例を示すものである。図２０において、チェック種目Ａ１、Ａ２の実際のプログラムが記載されている。
【００５２】
以上、本発明の実施例を詳述したが、本発明は、前記実施例に限定されるものではない。そして、本発明は、特許請求の範囲に記載された事項を逸脱することがなければ、種々の設計変更を行うことが可能である。各図のブロックは、公知または周知の電子・情報処理技術によって達成することができるものである。
【図面の簡単な説明】
【００５３】
【図１】本発明の第１実施例で、治験を行うための一例を示す概略ブロック構成図である。（実施例１）
【図２】（イ）は本発明の治験データ管理システムにおける権限判断手段の一例を説明するためのブロック構成図で、（ロ）は製薬会社の電子データを保存するためのブロック構成図である。
【図３】本発明の治験データ管理システムにおける権限判断手段の一例を説明するためのフローチャートである。
【図４】本発明の治験データ管理システムにおけるロジカルチェックの一例を説明するためのブロック構成図である。
【図５】本発明の治験データ管理システムにおけるロジカルチェックの一例を説明するためのフローチャートである。
【図６】本発明の病院と製薬会社とのお問い合わせ手段の一例を説明するためのフローチャートである。
【図７】本発明の第２実施例で、臨床検査を含む治験を行うための一例を示す概略ブロック構成図である。（実施例２）
【図８】（イ）は従来のデータ格納状態で、（ロ）は本発明のデータ格納状態の一例を説明するための図である。
【図９】本発明の実例で、製薬会社が作成した電子データからなる入力画面の基になる症例報告書を説明するための図である。
【図１０】本発明の実例で、入力画面作成手段で作成する入力画面を説明するための図である。
【図１１】本発明の実例で、入力画面作成手段で表示された画面の各項目に項目コードを設定する状態を説明するための図である。
【図１２】（イ）および（ロ）は本発明の実例で、入力画面作成手段で表示された項目コードの設定する状態を説明するための図である。
【図１３】本発明の実例で、表示および記憶手段に表示された「しおり」が作成された状態を説明するための図である。
【図１４】本発明の実例で、表示および記憶手段に表示された入力画面がデータべースに保存される例を説明するための図である。
【図１５】本発明の実例で、入力画面作成手段で作成された画面を説明するための図である。
【図１６】本発明の実例で、ロジカルチェック種別に対するチェック内容を表にしたものである。
【図１７】（イ）は本発明の実例で、性別および生年月日をチェックする例、（ロ）はロジカルチェックマスタ表を説明するためのものである。
【図１８】本発明の実例で、ロジカルチェック設定ファイルを説明するための図である。
【図１９】本発明の実例で、ロジカルチェックを行った結果が表されている。
【図２０】本発明の実例で、チェック種目のプログラムの例を示すものである。
【図２１】従来例における製薬会社の治験依頼から病院における血液の採取、臨床検査センタの検査、検査結果の受領の概略を示すブロック構成図である。
【符号の説明】
【００５４】
１１・・・製薬会社情報処理装置
１２・・・病院情報処理装置
１３・・・臨床検査センタの情報処理装置
１４・・・治験データ管理センタ
１４１・・・送受信手段
１４２・・・権限判断手段（定義ファイル）
１４３・・・データ入力手段
１４４・・・病院・製薬会社お問い合わせ手段
１４５・・・データ入力チェック手段
１４６・・・ロジカルチェック手段（ロジカル定義）
１４７・・・データ修正手段
１４８・・・症例登録手段（適格性判断）
１４９・・・症例報告書出力手段
１５０・・・安全性管理手段
１５１・・・進捗管理手段
１５２・・・帳票出力手段
１５３・・・表示および記憶手段
１５４・・・制御手段
１５５・・・データべース
１５６・・・入力画面作成手段
１５７・・・ロジカルチェック画面作成手段
１５８・・・プログラムパターン記憶手段
１５９・・・保存手段
１６０・・・入力項目記憶手段
【図１】
2007299150.tif 000003
【図２】
2007299150.tif 000004
【図３】
2007299150.tif 000005
【図４】
2007299150.tif 000006
【図５】
2007299150.tif 000007
【図６】
2007299150.tif 000008
【図７】
2007299150.tif 000009
【図８】
2007299150.tif 000010
【図２１】
2007299150.tif 000011
【図９】
2007299150.tif 000012
【図１０】
2007299150.tif 000013
【図１１】
2007299150.tif 000014
【図１２】
2007299150.tif 000015
【図１３】
2007299150.tif 000016
【図１４】
2007299150.tif 000017
【図１５】
2007299150.tif 000018
【図１６】
2007299150.tif 000019
【図１７】
2007299150.tif 000020
【図１８】
2007299150.tif 000021
【図１９】
2007299150.tif 000022
【図２０】
2007299150.tif 000023